【手続補正書】
【提出日】平成17年4月6日(2005.4.6)
【手続補正１】
【補正対象書類名】明細書
【補正対象項目名】特許請求の範囲
【補正方法】変更
【補正の内容】
【特許請求の範囲】
【請求項１】
真空容器と、この真空容器の内部に配置され、燃料ガスを水素を含む改質ガスに改質する改質触媒を収納した改質器と、前記真空容器の内部でかつ前記改質器の下方に配置され、前記改質ガスに含有されるＣＯガスを改質してその含有濃度を低減させるＣＯ改質触媒を収納したＣＯ変成器と、前記真空容器の内部でかつ前記改質器の上方に配置された蒸発器と、前記真空容器の内側で前記改質器、前記ＣＯ変成器及び前記蒸発器を囲うよう前記真空容器の内周壁に平行に配置された輻射熱を反射する薄板とを具備して真空容器内部を真空状態にしたことを特徴とする燃料改質装置。
【請求項２】
真空容器と、この真空容器の内部に配置され、燃料ガスを水素を含む改質ガスに改質する改質触媒を収納した改質器と、前記真空容器の内部に、前記改質ガスが流入するように配置され、前記改質ガスに含有されるＣＯガスを改質してその含有濃度を低減させるＣＯ改質触媒を収納したＣＯ変成器と、前記真空容器の内部に配置され、原料を前記燃料ガスへ気化させて前記改質器へ供給する蒸発器と、前記真空容器の内側で前記真空容器の内周壁に平行に配置された輻射熱を反射する薄板とを具備して真空容器内部を真空状態にしたことを特徴とする燃料改質装置。
【請求項３】
前記真空容器に接続された真空ポンプを有したことを特徴とする請求項１または請求項２に記載の燃料改質装置。
【請求項４】
前記真空容器内の圧力を検出する圧力計を前記真空容器に接続したことを特徴とする請求項１乃至請求項３のいずれか１項に記載の燃料改質装置。
【請求項５】
外周壁が二重構造で壁間の領域が真空状態の容器と、この容器の内部に配置され、燃料ガスを水素を含む改質ガスに改質する改質触媒を収納した改質器と、前記容器の内部でかつ前記改質器の下方に配置され、前記改質ガスに含有されるＣＯガスを改質してその含有濃度を低減させるＣＯ改質触媒を収納したＣＯ変成器と、前記容器の内部でかつ前記改質器の上方に配置された蒸発器と、前記容器の二重構造の壁間の領域に、前記外周壁に対して平行に配置された輻射熱を反射する薄板とを具備することを特徴とする燃料改質装置。
【請求項６】
外周壁が二重構造で壁間の領域が真空状態の容器と、この容器の内部に配置され、燃料ガスを水素を含む改質ガスに改質する改質触媒を収納した改質器と、前記容器の内部に、前記改質ガスが流入するように配置され、前記改質ガスに含有されるＣＯガスを改質してその含有濃度を低減させるＣＯ改質触媒を収納したＣＯ変成器と、前記容器の内部に配置され、原料を前記燃料ガスへと気化させて前記改質器へ供給する蒸発器と、前記容器の二重構造の壁間の領域に、前記外周壁に対して平行に配置された輻射熱を反射する薄板とを具備することを特徴とする燃料改質装置。
【請求項７】
前記改質器は、前記容器内に配置され上部及び下部が閉じた耐熱性金属からなる二重円筒管と、この二重円筒管の隙間に配置され、燃料ガスを水素を含む改質ガスに改質する改質触媒とを備えていることを特徴とする請求項５または請求項６に記載の燃料改質装置。
【請求項８】
前記二重円筒管の内側壁にエキスパンションを設置したことを特徴とする請求項７記載の燃料改質装置。
【請求項９】
前記二重円筒管の内側にバーナを設け、このバーナの下部に二重円筒管の内側壁内径より小さい外径をもち且つバーナ側が閉じたバーナガスガイド円筒を設け、更に前記バーナの周囲に断熱材を設けたことを特徴とする請求項７又は請求項８項記載の燃料改質装置。
【請求項１０】
前記ＣＯ変成器は、前記改質器の下部に互いに離間して配置された２枚の穴付板と、これら穴付板で挟まれた領域に配置された，ＣＯ濃度低減作用をもつ第１のＣＯ改質触媒とを備えていることを特徴とする請求項５乃至請求項９いずれか１項記載の燃料改質装置。
【請求項１１】
前記第１のＣＯ改質触媒の下に熱交換器を配置し、その下部にＣＯ濃度低減作用をもつ第２のＣＯ改質触媒を充填した円筒管を設置したことを特徴とする請求項１０記載の燃料改質装置。
【請求項１２】
前記熱交換器と前記円筒管との間に、互いに離間した２枚の多孔板と、これらの多孔板間に設置された単孔板を備えたガスミキサーを設置したことを特徴とする請求項５乃至請求項１１いずれか１項記載の燃料改質装置。
【請求項１３】
前記壁間の領域に接続された真空ポンプとを有したことを特徴とする請求項５乃至請求項１２いずれか１項に記載の燃料改質装置。
【請求項１４】
前記容器の壁間の領域の圧力を検出する圧力計を接続したことを特徴とする請求項５乃至請求項１３いずれか１項に記載の燃料改質装置。
【請求項１５】
前記容器の内壁と各部品間の隙間に断熱材を充填することを特徴とする請求項５乃至請求項１４いずれか１項記載の燃料改質装置。
【請求項１６】
前記薄板の主面の少なくとも片面に凹凸部を設けたことを特徴とする請求項１乃至請求項１５のいずれか１項に記載の燃料改質装置。
【請求項１７】
前記薄板が複数設置されていることを特徴とする請求項１乃至請求項１６いずれか１項に記載の燃料改質装置。
【請求項１８】
前記薄板間にスペーサを設けたことを特徴とする請求項１７記載の燃料改質装置。
【請求項１９】
前記蒸発器の上方の装置内部に熱回収熱交換器が配置されていることを特徴とする請求項１乃至請求項１８のいずれか１項に記載の燃料改質装置。
【手続補正２】
【補正対象書類名】明細書
【補正対象項目名】００１０
【補正方法】変更
【補正の内容】
【００１０】
【課題を解決するための手段】
本願第１の発明は、真空容器と、この真空容器の内部に配置され、燃料ガスを水素を含む改質ガスに改質する改質触媒を収納した改質器と、前記真空容器の内部でかつ前記改質器の下方に配置され、前記改質ガスに含有されるＣＯガスを改質してその含有濃度を低減させるＣＯ改質触媒を収納したＣＯ変成器と、前記真空容器の内部でかつ前記改質器の上方に配置された蒸発器と、前記真空容器の内側で前記改質器、前記ＣＯ変成器及び前記蒸発器を囲うよう前記真空容器の内周壁に平行に配置された輻射熱を反射する薄板とを具備して真空容器内部を真空状態にしたことを特徴とする燃料改質装置である。
【手続補正３】
【補正対象書類名】明細書
【補正対象項目名】００１１
【補正方法】変更
【補正の内容】
【００１１】
本願第２の発明は、真空容器と、この真空容器の内部に配置され、燃料ガスを水素を含む改質ガスに改質する改質触媒を収納した改質器と、前記真空容器の内部に、前記改質ガスが流入するように配置され、前記改質ガスに含有されるＣＯガスを改質してその含有濃度を低減させるＣＯ改質触媒を収納したＣＯ変成器と、前記真空容器の内部に配置され、原料を前記燃料ガスへ気化させて前記改質器へ供給する蒸発器と、前記真空容器の内側で前記真空容器の内周壁に平行に配置された輻射熱を反射する薄板とを具備して真空容器内部を真空状態にしたことを特徴とする燃料改質装置である。  
本願第３の発明は、外周壁が二重構造で壁間の領域が真空状態の容器と、この容器の内部に配置され、燃料ガスを水素を含む改質ガスに改質する改質触媒を収納した改質器と、前記容器の内部でかつ前記改質器の下方に配置され、前記改質ガスに含有されるＣＯガスを改質してその含有濃度を低減させるＣＯ改質触媒を収納したＣＯ変成器と、前記容器の内部でかつ前記改質器の上方に配置された蒸発器と、前記容器の二重構造の壁間の領域に、前記外周壁に対して平行に配置された輻射熱を反射する薄板とを具備することを特徴とする燃料改質装置である。 
本願第４の発明は、外周壁が二重構造で壁間の領域が真空状態の容器と、この容器の内部に配置され、燃料ガスを水素を含む改質ガスに改質する改質触媒を収納した改質器と、前記容器の内部に、前記改質ガスが流入するように配置され、前記改質ガスに含有されるＣＯガスを改質してその含有濃度を低減させるＣＯ改質触媒を収納したＣＯ変成器と、前記容器の内部に配置され、原料を前記燃料ガスへと気化させて前記改質器へ供給する蒸発器と、前記容器の二重構造の壁間の領域に、前記外周壁に対して平行に配置された輻射熱を反射する薄板とを具備することを特徴とする燃料改質装置である。